(57)【要約】【課題】横臥者の多様な好みに応じられる寝心地が良好なマットレスを提供すること。【解決手段】本考案では、マットレス（１）において、複数個のフリーエンドコイルスプリング（８）を平行配列で林立配置したボンネルコイルスプリング層（４）の上方に複数個のポケットコイルスプリング（１２）を同じく平行配列で林立配置したポケットコイルスプリング層（６）を形成し、前記ポケットコイルスプリング（１２）は、前記フリーエンドコイルスプリング（８）よりもコイル径を小さく個数を多くすることにした。【選択図】図３
0003141756.tif 000002
【実用新案登録請求の範囲】
【請求項１】
複数個のフリーエンドコイルスプリングを平行配列で林立配置したボンネルコイルスプリング層の上方に複数個のポケットコイルスプリングを同じく平行配列で林立配置したポケットコイルスプリング層を形成し、前記ポケットコイルスプリングは、前記フリーエンドコイルスプリングよりもコイル径を小さく個数を多くしたことを特徴とするマットレス。
【請求項２】
前記ボンネルコイルスプリング層と前記ポケットコイルスプリング層との間に緩衝材からなる中間内装材層を形成したことを特徴とする請求項１に記載のマットレス。
【考案の詳細な説明】
【技術分野】
【０００１】
本考案は、マットレスに関するものである。
【背景技術】
【０００２】
従来のマットレスは、複数個のフリーエンドコイルスプリングを平行配列で林立配置させることによってボンネルコイルスプリング層を形成するとともに、ボンネルコイルスプリング層の上下に内装材を敷設し、これらのボンネルコイルスプリング層と上下の内装材とを袋状の外装材で被覆して構成していた（たとえば、特許文献１参照。）。
【０００３】
そして、従来のマットレスでは、商品ごとにボンネルコイルスプリング層を形成するフリーエンドコイルスプリングのコイル径や個数や配列や種類などを異ならせることによって、横臥者の背中で感じ取られる寝心地を変化させるようにしていた。
【０００４】
【特許文献１】特開平１０−１６５２６１号公報
【考案の開示】
【考案が解決しようとする課題】
【０００５】
ところが、上記従来のマットレスでは、複数個林立配置させた１種類のフリーエンドコイルスプリングによってボンネルコイルスプリング層を形成していたために、ボンネルコイルスプリング層を形成する１種類のフリーエンドコイルスプリングだけで横臥者が感じる寝心地が決定されるものとなっていた。
【０００６】
そのため、老若男女に幅広く使用されるマットレスにあっては、使用者の多様な好みに十分に対応できる構造のマットレスとはなっていなかった。
【課題を解決するための手段】
【０００７】
そこで、請求項１に係る本考案では、マットレスにおいて、複数個のフリーエンドコイルスプリングを平行配列で林立配置したボンネルコイルスプリング層の上方に複数個のポケットコイルスプリングを同じく平行配列で林立配置したポケットコイルスプリング層を形成し、前記ポケットコイルスプリングは、前記フリーエンドコイルスプリングよりもコイル径を小さく個数を多くすることにした。
【０００８】
また、請求項２に係る本考案では、前記請求項１に係る本考案において、前記ボンネルコイルスプリング層と前記ポケットコイルスプリング層との間に緩衝材からなる中間内装材層を形成することにした。
【考案の効果】
【０００９】
そして、本考案では、以下に記載する効果を奏する。
【００１０】
すなわち、本考案では、マットレスにおいて、複数個のフリーエンドコイルスプリングを平行配列で林立配置したボンネルコイルスプリング層の上方に複数個のポケットコイルスプリングを同じく平行配列で林立配置したポケットコイルスプリング層を形成し、ポケットコイルスプリングは、フリーエンドコイルスプリングよりもコイル径を小さく個数を多くすることにしているために、ボンネルコイルスプリング層で横臥者の体重に応じて全体的に緩やかに撓んだ形状とするとともに、ポケットコイルスプリング層で横臥者の体型に応じて部分的に変形した形状として、横臥者を包み込むような良好な寝心地を横臥者に対して与えるマットレスとすることができる。
【考案を実施するための最良の形態】
【００１１】
以下に、本考案に係るマットレスの具体的な構成について図面を参照しながら説明する。
【００１２】
図１〜図４に示すように、マットレス１は、布製の矩形箱型袋状の外装材２の内部に底側から順に、下側内装材層３、ボンネルコイルスプリング層４、中間内装材層５、ポケットコイルスプリング層６、上側内装材層７を積層して収容している。
【００１３】
そして、下側内装材層３、中間内装材層５、上側内装材層７は、フエルトやウレタンフォームなどの各種の内装材を１枚又は複数枚重ねて形成している。なお、下側内装材層３や中間内装材層５は、マットレス１の柔軟性に応じて適宜形成し、場合によっては形成しないでもよい。
【００１４】
ボンネルコイルスプリング層４は、同一平面状に複数個のフリーエンドコイルスプリング８を林立配置させ、上端部と下端部とをそれぞれ矩形枠状のフレーム9,10に接続することによって形成している。
【００１５】
また、ポケットコイルスプリング層６は、同一平面状に複数個の不織布製の袋11に収容したポケットコイルスプリング12を林立配置させることによって形成している。なお、ポケットコイルスプリング12は、１個づつ袋詰めしたものでもよく、また、複数個を袋詰めしたものでもよい。
【００１６】
そして、ボンネルコイルスプリング層４を構成するフリーエンドコイルスプリング８は、ポケットコイルスプリング層６を構成するポケットコイルスプリング12よりも、コイル径が大きく、個数が少なくなるようにしている。
【００１７】
このように、上記マットレス１では、フリーエンドコイルスプリング８よりもポケットコイルスプリング12のコイル径を小さくするとともに、フリーエンドコイルスプリング８よりもポケットコイルスプリング12の個数を多くし、ボンネルコイルスプリング層４のフリーエンドコイルスプリング８の縦方向の間隔（ピッチPV1）や横方向の間隔（ピッチPH1）よりもポケットコイルスプリング層６のポケットコイルスプリング12の縦方向の間隔（ピッチPV2）や横方向の間隔（ピッチPH2）を狭くしている。なお、ボンネルコイルスプリング層４のフリーエンドコイルスプリング８の縦方向の間隔（ピッチPV1）や横方向の間隔（ピッチPH1）がポケットコイルスプリング層６のポケットコイルスプリング12の縦方向の間隔（ピッチPV2）や横方向の間隔（ピッチPH2）の整数倍とならないようにして、マットレス１が全体的にランダムに変形するようにして、単調な変形によって寝心地が単調となるのを回避し、自然な寝心地となるようにしている。
【００１８】
また、ボンネルコイルスプリング層４を構成するフリーエンドコイルスプリング８は、図４(a)に示すように、縦方向に同一の間隔（ピッチPV1）で一列状に配置するとともに、各列のフリーエンドコイルスプリング８を横方向に揃えて複数列に配置して、全体を平行配列で配列している。また、ポケットコイルスプリング層６を構成するポケットコイルスプリング12は、図４(b)に示すように、縦方向に同一の間隔（ピッチPV2）で一列状に配置するとともに、各列のポケットコイルスプリング12を横方向に揃えて複数列に配置して、全体を平行配列で配列している。
【００１９】
以上に説明したように、上記マットレス１では、複数個のフリーエンドコイルスプリング８を林立配置したボンネルコイルスプリング層４の上方に複数個のポケットコイルスプリング12を林立配置したポケットコイルスプリング層６を形成している。
【００２０】
そのため、上記マットレス１では、フリーエンドコイルスプリング及びポケットコイルスプリング層4,6で横臥者を支持することになり、各層4,6ごとの撓み量を少なくすることができ、これにより、各層4,6を構成するフリーエンドコイルスプリング及びポケットコイルスプリング8,9の寿命を長くすることができて、マットレス１の長寿命化を図ることができる。
【００２１】
しかも、上記マットレス１では、フリーエンドコイルスプリング８よりもポケットコイルスプリング12のコイル径を小さくするとともに、フリーエンドコイルスプリング８よりもポケットコイルスプリング12の個数を多くしている。
【００２２】
そのため、上記マットレス１では、比較的大型で個数の少ないフリーエンドコイルスプリング８から構成したボンネルコイルスプリング層４において、横臥者の体重に応じて全体的に緩やかに撓んだ形状となるとともに、比較的小型で個数の多いポケットコイルスプリング12から構成したポケットコイルスプリング層６において、横臥者の体型に応じて部分的に変形した形状となり、これにより、横臥者を包み込むような良好な寝心地を横臥者に対して与えるマットレス１とすることができる。
【００２３】
また、上記マットレス１では、ボンネルコイルスプリング層４におけるフリーエンドコイルスプリング８の配列（平行配列）と、ポケットコイルスプリング層６におけるポケットコイルスプリング12の配列（平行配列）とを同じ配列としている。
【００２４】
そのため、上記マットレス１では、フリーエンドコイルスプリング及びポケットコイルスプリング8,9の配列の組み合わせによって横臥者の好みに応じた寝心地のマットレス１とすることができる。
【００２５】
また、上記マットレス１では、ボンネルコイルスプリング層４の形態（ボンネル型）と、ポケットコイルスプリング層６の形態（ポケットコイル型）とを異ならせている。
【００２６】
そのため、上記マットレス１では、フリーエンドコイルスプリング及びポケットコイルスプリング層4,6の形態の組み合わせによって横臥者の好みに応じた寝心地のマットレス１とすることができる。
【図面の簡単な説明】
【００２７】
【図１】マットレスを示す一部切欠断面斜視図。
【図２】同部分拡大図。
【図３】マットレスの内部を示す斜視透視図。
【図４】フリーエンドコイルスプリング及びポケットコイルスプリングの配列、間隔を示す説明図。
【符号の説明】
【００２８】
１  マットレス
２  外装材
３  下側内装材層
４  ボンネルコイルスプリング層
５  中間内装材層
６  ポケットコイルスプリング層
７  上側内装材層
８  フリーエンドコイルスプリング
9,10  フレーム
11  袋
12  ポケットコイルスプリング
【図１】
0003141756.tif 000003
【図２】
0003141756.tif 000004
【図３】
0003141756.tif 000005
【図４】
0003141756.tif 000006